(57)【要約】【課題】デジタル化された文字・音声・写真・映像・アニメーション等の伝達情報を記憶できる再利用可能な配達物を提供する。【解決手段】デジタル情報（文字・音声・写真・映像・アニメーション等）が書き込み可能な非接触ＩＣメディアを情報源として備えた配達物を用いて、アンテナ部と非接触ＩＣメディアとの間で情報を送受信するリーダ／ライタユニットを備えた電子機器と、非接触ＩＣメディアを備えた配達物が近づけられるとＳ３１、該電子機器は、非接触ＩＣメディアに書き込まれている情報を読み込みＳ３３、Ｓ３５、広告の自動表示Ｓ３７、パスワード照合Ｓ４１〜４５の後に、伝達情報を可視聴表示するＳ４７。また、該電子機器を用いて、非接触ＩＣメディアに記憶されている配達情報、伝達情報を書き換え、配達物受付装置によって配達料金情報、配達過程情報等を書き換えることで配達物の再利用を可能とする。【選択図】　　　　図１２
2004085857.tif 000002
【特許請求の範囲】
【請求項１】
広告業者により設定される広告情報と、利用者が配達先に伝達する伝達情報と、配達先及び配達元の住所及び名称を含む配達情報が記憶される非接触ＩＣメディアを備えた配達物であって、
非接触ＩＣメディアから発信された広告情報及び伝達情報は、アンテナ部と非接触ＩＣメディアとの間で情報の読み込み及び書き込みを行うリーダ／ライタユニットを備えた電子機器と前記配達物の非接触ＩＣメディアが近づけられると、前記電子機器によりリーダ／ライタユニットのアンテナ部で受信され、
情報の読み取りの時、受信された広告情報は前記電子機器に可視及び／又は可聴表示され、且つ、受信された伝達情報は該電子機器に可視及び／又は可聴表示され、
情報の書き込みの時、受信された広告情報は該電子機器に可視及び／又は可聴表示され、且つ、入力部又は記憶部から入力された伝達情報及び配達情報は、該電子機器により非接触ＩＣメディアに書き込まれる前記配達物。
【請求項２】
前記非接触ＩＣメディアには、配達業者が業務で使用する配達業者情報がさらに記憶される請求項１に記載の配達物。
【請求項３】
配達業者が業務で使用する配達業者情報と、利用者が配達先に伝達する伝達情報と、配達先及び配達元の住所及び名称を含む配達情報が記憶される非接触ＩＣメディアを備えた配達物であって、
非接触ＩＣメディアから発信された配達情報は、アンテナ部と非接触ＩＣメディアとの間で情報の読み込み及び書き込みを行うリーダ／ライタ部を備えた配達物受付装置と前記配達物の非接触ＩＣメディアが近づけられると、前記配達物受付装置により前記リーダ／ライタ部で受信され、
受信された配達情報の配達先と配達元の住所に基づき、該配達物受付装置の配達物の料金情報を記憶した記憶部に記憶されている料金情報を参照し、該配達物の配達料金が判断され、
該配達物の配達料金が該配達物受付装置の表示部に表示され、
該配達物受付装置の配達料金が投入される料金投入部に投入した金額が配達料金に達しているか判断され、配達料金が投入されたと判断されると、配達料金が領収済であることを示す配達業者情報が、リーダ／ライタ部を介して該非接触ＩＣメディアに書き込まれる
前記配達物。
【請求項４】
前記非接触ＩＣメディアに記憶されている広告情報、伝達情報、配達情報、配達業者情報のいずれかはセキュリティを確保するためのパスワードをさらに含む請求項１乃至３のいずれかに記載の配達物。
【請求項５】
前記非接触ＩＣメディアを備えた配達物は、前記電子機器がリーダ／ライタユニットのアンテナから非接触ＩＣメディアに書き込まれた情報を読み取り可能な素材で構成されている、又は、読み取り可能な仕組みを備える請求項１乃至４のいずれかに記載の配達物。
【請求項６】
前記読み取り可能な素材は、紙、プラスチック、合板、樹脂のいずれかである請求項５に記載の配達物。
【請求項７】
広告業者により設定される広告情報と、利用者が配達先に伝達する伝達情報と、配達先及び配達元の住所及び名称を含む配達情報が記憶される非接触ＩＣメディアを備えた配達物と、
該非接触ＩＣメディアとアンテナ部との間で情報の読み込み及び書き込みを行うリーダ／ライタユニットを備えた電子機器と
を備えた配達情報処理システムであって、
前記電子機器は、該非接触ＩＣメディアから発信された広告情報及び伝達情報をリーダ／ライタユニットのアンテナ部で受信し、
前記配達物からの情報の読み取りの時、該電子機器は受信した広告情報を可視及び／又は可聴表示し、且つ、該電子機器は受信した伝達情報を可視及び／又は可聴表示し、
前記配達物への情報の書き込みの時、該電子機器は受信した広告情報を可視及び／又は可聴表示し、且つ、該電子機器は入力部又は記憶部から入力された伝達情報及び配達情報を非接触ＩＣメディアに書き込む前記配達情報処理システム。
【請求項８】
利用者が配達先に伝達する伝達情報と、配達先及び配達元の住所及び名称を含む配達情報と、配達業者が業務で使用する配達業者情報が記憶される非接触ＩＣメディアを備えた配達物と、
アンテナ部と非接触ＩＣメディアとの間で情報の読み込み及び書き込みを行うリーダ／ライタ部と、配達物の料金情報を記憶した記憶部と、配達料金が表示される表示部と、配達料金が投入される料金投入部とを有する配達物受付装置と
を備えた配達情報処理システムであって、
前記配達物受付装置の処理部は、配達情報に従い記憶部に記憶されている料金情報を参照して該配達物の配達料金を判断し、
処理部は、判断した配達料金を表示部に表示し、
処理部は、料金投入部に投入された金額を料金投入部から入力し、
処理部は、入力した金額が配達料金に達しているかを判断し、
処理部は、配達料金が領収済であることを示す配達業者情報を、リーダ／ライタ部を介して該非接触ＩＣメディアに書き込む前記配達情報処理システム。
【請求項９】
広告業者により設定される広告情報と、利用者が配達先に伝達する伝達情報と、配達先及び配達元の住所及び名称を含む配達情報が記憶される非接触ＩＣメディアを備えた配達物と、該非接触ＩＣメディアとアンテナ部との間で情報の読み込み及び書き込みを行うリーダ／ライタユニットを備えた電子機器を用いた配達情報処理方法であって、
前記電子機器は、非接触ＩＣメディアから発信された広告情報及び伝達情報をリーダ／ライタユニットのアンテナ部で受信するステップと、
前記配達物からの情報の読み取りの時、該電子機器は、受信した広告情報を可視及び／又は可聴表示し、且つ、該電子機器は、受信した伝達情報を可視及び／又は可聴表示するステップと、
前記配達物からの情報の書き込みの時、該電子機器は、受信した広告情報を可視及び／又は可聴表示し、且つ、該電子機器は、入力部又は記憶部から入力した伝達情報及び配達情報を非接触ＩＣメディアに書き込むステップと、
を含む配達情報処理方法。
【請求項１０】
前記書き込むステップは、
前記電子機器は、入力部又は記憶部又は外部に接続された端末から非接触ＩＣメディアに書き込む伝達情報及び配達情報を入力するステップと、
該電子機器は、伝達情報の表示及び書き込みを制限するための利用者パスワードを入力部から入力するステップと、
該電子機器は、入力した配達情報及び入力した利用者パスワードを含む伝達情報を、リーダ／ライタユニットを介して非接触ＩＣメディアに書き込むステップと、
を含む請求項９に記載の配達情報処理方法。
【請求項１１】
前記非接触ＩＣメディアには、配達業者が業務で使用する配達業者情報をさらに含み、
アンテナ部と非接触ＩＣメディアとの間で情報の読み込み及び書き込みを行うリーダ／ライタ部と、配達物の料金情報を記憶した記憶部と、配達料金が表示される表示部と、配達料金が投入される料金投入部とを備えた配達物受付装置をさらに用い、
前記配達物受付装置の処理部は、配達情報に従い記憶部に記憶されている料金情報を参照して前記配達物の配達料金を判断するステップと、
処理部は、判断した配達料金を表示部に表示するステップと、
処理部は、料金投入部に投入された金額を料金投入部から入力するステップと、
処理部は、入力した金額が配達料金に達しているかを判断するステップと、
処理部は、配達料金が領収済であることを示す配達業者情報を、リーダ／ライタ部を介して該非接触ＩＣメディアに書き込むステップと、
を含む請求項９又は１０に記載の配達情報処理方法。
【請求項１２】
前記配達料金を判断するステップは、
処理部は、前記配達物に備えられた非接触ＩＣメディアから発信された配達情報をリーダ／ライタ部で受信するステップと、
処理部は、受信した配達情報の配達先と配達元の住所に基づき、記憶部に記憶されている料金情報を参照して該配達物の配達料金を判断するステップと
を含む請求項１１に記載の配達情報処理方法。
【発明の詳細な説明】
【０００１】
【発明の属する技術分野】
本発明は、非接触ＩＣメディアを備えた配達物、配達情報処理システム及び配達情報処理方法に係り、特に、該非接触ＩＣメディアに記憶された配達物の配達元・配達先情報、配達料金情報、配達過程情報、広告情報、伝達情報のデジタル情報（文字・音声・写真・映像・アニメーション等）等の各種情報を提供することができる非接触ＩＣメディアを備えた配達物、配達情報処理システム及び配達情報処理方法に関する。
【０００２】
【従来の技術】
従来の配達物は、紙面に描かれた文字・写真・絵画等の情報、カタログ・書籍等の物品を配達するものであった。また、配達料金の支払いは、予め切手を購入したり、窓口で支払う等の方法が取られている。
【０００３】
また、ＣＰＵとメモリーとを内部に備えた非接触ＩＣメディア（コンタクトレスＩＣメディア）を用い、非接触ＩＣメディアとリーダ／ライタユニットとの間で、非接触によりデータの送受信を行い、非接触ＩＣメディアのメモリーにデータを書き込み又はメモリーからデータを読み取り、各種処理を可能とする技術が開発されている（特願２００１−８４７４６、特願２００１−８４６９９、特願２００２−３３７９６）。
【０００４】
また、従来の配達物は、紙面に文字・写真・絵画等の情報を記載するため、配達物をリサイクルすることはほとんど行われていない。
【０００５】
【発明が解決しようとする課題】
従来の配達物は、紙面に描かれた文字・写真・絵画等の情報、カタログ・書籍等の物品を配達するものであった。
【０００６】
また、従来の通常の配達物は、予め切手を購入するか、窓口の受付時間に配達料金を支払わなければ送ることができないという課題があった。さらに、従来、利用者が配達物に切手を貼付したり、配達業者又は料金領収者が領収印を押すなどして配達料金が支払われたことを記しているが、いずれも配達物に接触するために、自動で配達物を受け取るには配達物の形状を損なう可能性があり、再利用することができない等の課題があった。
【０００７】
本発明は、以上の点に鑑み、配達物にデジタル化された伝達情報（文字・音声・写真・映像・アニメーション等）を書き込み、配達物から容易に伝達情報が読みとれ、より身近な情報として楽しめるようにすることを目的とする。また、デジタル情報の書き込みは、パソコン等の電子機器を用いて容易にできることを目的とする。さらに、配達物には、配達料金情報、配達過程情報等の配達業者独自の情報を書き込み、配達業者は配達業務の情報収集と業務改善・効率化に利用できることを目的とする。また、配達料金の収受と配達物の受取を自動で行うことも目的の一つである。さらに、配達物の再利用を可能とすることを目的とする。
【０００８】
【課題を解決するための手段】
本発明の解決手段によると、デジタル化された伝達情報（文字・音声・写真・映像・アニメーション等）が書き込まれた非接触ＩＣメディアを情報源として備えた配達物を用いて、アンテナから非接触ＩＣメディアに書き込まれた情報を読み取るリーダ／ライタユニットを備えた電子機器に、非接触ＩＣメディアを備えた配達物が乗せられたり、近づけられたりすることで、該電子機器は、非接触ＩＣメディアに書き込まれている情報を可視聴表示する。
【０００９】
非接触ＩＣメディアを備えた配達物には、デジタル化された伝達情報（文字・音声・写真・動画像・アニメーション等）の他に、配達業者が配達過程で配達料金情報、配達過程情報等の配達業者独自の情報を書き込み、配達業者の配達物受付装置は、その情報を用いることで配達業務の情報収集と業務改善に利用する。
【００１０】
また、非接触ＩＣメディアを備えた配達物には、さらに広告情報を書き込み、電子機器は、配達物の伝達情報を読み込む及び書き込む際に広告情報を読み込み、自動的に可視聴表示する。
【００１１】
配達物の受け取り者は、リーダ／ライタユニットを備えた電子機器を使用して非接触ＩＣメディアに書き込まれている情報を簡単に書き替え、配達業者は、配達物受付装置によって料金情報、配達過程情報を更新することで、非接触ＩＣメディアを備えた配達物の再利用を可能とする。
【００１２】
本発明の第１の解決手段によると、
広告業者により設定される広告情報と、利用者が配達先に伝達する伝達情報と、配達先及び配達元の住所及び名称を含む配達情報が記憶される非接触ＩＣメディアを備えた配達物であって、
非接触ＩＣメディアから発信された広告情報及び伝達情報は、アンテナ部と非接触ＩＣメディアとの間で情報の読み込み及び書き込みを行うリーダ／ライタユニットを備えた電子機器と前記配達物の非接触ＩＣメディアが近づけられると、前記電子機器によりリーダ／ライタユニットのアンテナ部で受信され、
情報の読み取りの時、受信された広告情報は前記電子機器に可視及び／又は可聴表示され、且つ、受信された伝達情報は該電子機器に可視及び／又は可聴表示され、
情報の書き込みの時、受信された広告情報は該電子機器に可視及び／又は可聴表示され、且つ、入力部又は記憶部から入力された伝達情報及び配達情報は、該電子機器により非接触ＩＣメディアに書き込まれる前記配達物が提供される。
【００１３】
本発明の第２の解決手段によると、
配達業者が業務で使用する配達業者情報と、利用者が配達先に伝達する伝達情報と、配達先及び配達元の住所及び名称を含む配達情報が記憶される非接触ＩＣメディアを備えた配達物であって、
非接触ＩＣメディアから発信された配達情報は、アンテナ部と非接触ＩＣメディアとの間で情報の読み込み及び書き込みを行うリーダ／ライタ部を備えた配達物受付装置と前記配達物の非接触ＩＣメディアが近づけられると、前記配達物受付装置により前記リーダ／ライタ部で受信され、
受信された配達情報の配達先と配達元の住所に基づき、該配達物受付装置の配達物の料金情報を記憶した記憶部に記憶されている料金情報を参照し、該配達物の配達料金が判断され、
該配達物の配達料金が該配達物受付装置の表示部に表示され、
該配達物受付装置の配達料金が投入される料金投入部に投入した金額が配達料金に達しているか判断され、配達料金が投入されたと判断されると、配達料金が領収済であることを示す配達業者情報が、リーダ／ライタ部を介して該非接触ＩＣメディアに書き込まれる前記配達物が提供される。
【００１４】
本発明の第３の解決手段によると、
広告業者により設定される広告情報と、利用者が配達先に伝達する伝達情報と、配達先及び配達元の住所及び名称を含む配達情報が記憶される非接触ＩＣメディアを備えた配達物と、
該非接触ＩＣメディアとアンテナ部との間で情報の読み込み及び書き込みを行うリーダ／ライタユニットを備えた電子機器と
を備えた配達情報処理システムであって、
前記電子機器は、該非接触ＩＣメディアから発信された広告情報及び伝達情報をリーダ／ライタユニットのアンテナ部で受信し、
前記配達物からの情報の読み取りの時、該電子機器は受信した広告情報を可視及び／又は可聴表示し、且つ、該電子機器は受信した伝達情報を可視及び／又は可聴表示し、
前記配達物への情報の書き込みの時、該電子機器は受信した広告情報を可視及び／又は可聴表示し、且つ、該電子機器は入力部又は記憶部から入力された伝達情報及び配達情報を非接触ＩＣメディアに書き込む前記配達情報処理システムが提供される。
【００１５】
本発明の第４の解決手段によると、
利用者が配達先に伝達する伝達情報と、配達先及び配達元の住所及び名称を含む配達情報と、配達業者が業務で使用する配達業者情報が記憶される非接触ＩＣメディアを備えた配達物と、
アンテナ部と非接触ＩＣメディアとの間で情報の読み込み及び書き込みを行うリーダ／ライタ部と、配達物の料金情報を記憶した記憶部と、配達料金が表示される表示部と、配達料金が投入される料金投入部とを有する配達物受付装置と
を備えた配達情報処理システムであって、
前記配達物受付装置の処理部は、配達情報に従い記憶部に記憶されている料金情報を参照して該配達物の配達料金を判断し、
処理部は、判断した配達料金を表示部に表示し、
処理部は、料金投入部に投入された金額を料金投入部から入力し、
処理部は、入力した金額が配達料金に達しているかを判断し、
処理部は、配達料金が領収済であることを示す配達業者情報を、リーダ／ライタ部を介して該非接触ＩＣメディアに書き込む前記配達情報処理システムが提供される。
【００１６】
本発明の第５の解決手段によると、
広告業者により設定される広告情報と、利用者が配達先に伝達する伝達情報と、配達先及び配達元の住所及び名称を含む配達情報が記憶される非接触ＩＣメディアを備えた配達物と、該非接触ＩＣメディアとアンテナ部との間で情報の読み込み及び書き込みを行うリーダ／ライタユニットを備えた電子機器を用いた配達情報処理方法であって、
前記電子機器は、非接触ＩＣメディアから発信された広告情報及び伝達情報をリーダ／ライタユニットのアンテナ部で受信するステップと、
前記配達物からの情報の読み取りの時、該電子機器は、受信した広告情報を可視及び／又は可聴表示し、且つ、該電子機器は、受信した伝達情報を可視及び／又は可聴表示するステップと、
前記配達物からの情報の書き込みの時、該電子機器は、受信した広告情報を可視及び／又は可聴表示し、且つ、該電子機器は、入力部又は記憶部から入力した伝達情報及び配達情報を非接触ＩＣメディアに書き込むステップと、
を含む配達情報処理方法が提供される。
【００１７】
【発明の実施の形態】
（動作概要）
本実施の形態では、例えば、リーダ／ライタユニットを備えた電子機器は、デジタル情報が書き込まれた非接触ＩＣメディアを備えた配達物からデジタル情報を読み込み、文字・音声・写真・動画像・アニメーション等で可視聴表示することができる。
【００１８】
利用者は、リーダ／ライタユニットを備えた電子機器のリーダ／ライタ部を非接触ＩＣメディアを備えた配達物に近づけたり、あるいは、リーダ／ライタ部に非接触ＩＣメディアを備えた配達物を乗せたりする事により、非接触ＩＣメディアに書き込まれているデジタル情報がリーダ／ライタユニットを介して電子機器に読み込まれ、文字・音声・写真・動画像・アニメーション等で可視聴表示される。
【００１９】
また、リーダ／ライタユニットを備えた電子機器は、デジタル情報をパソコン・ＰＤＡ・携帯電話等から読み込み、読み込んだデジタル情報を非接触ＩＣメディアに書き込むことができる。さらに、伝達情報が記憶された配達物は配達物受付装置に投函され、配達物受付装置は、配達料金を収受し、非接触ＩＣメディアに記憶されている配達料金情報、配達過程情報を書き換えて配達物を受け取る。
【００２０】
（ハード機器）
図１は、外部ディスプレイ接続型電子機器の構成図である。本実施の形態における電子機器１は、ＣＰＵ（処理部）、内部メモリー（記憶部）、入力部、表示部、リーダ／ライタユニットを備える。図１の外部ディスプレイ接続型電子機器１の例では、電子機器１は、ＣＰＵ（処理部）、内部メモリー、コントロールキー（入力部）１１、電源スイッチ１２、リーダ／ライタユニット１３、外部ディスプレイ接続端子１４、書き込みデータ入力端子３１を備える。図１に示す例では、電子機器１は、リーダ／ライタユニット１３を内蔵している。内部メモリーは、例えば、３２ＭＢ以上あるとよい。オペレーティングシステム（ＯＳ）は、問わない。コントロールキー１１は、外部ディスプレイ接続端子１４に接続された表示部に表示された情報を操作するための入力部である。リーダ／ライタユニット１３は、非接触ＩＣメディアと電波の送受信をし、非接触ＩＣメディアとの間で情報の読み書きを行うものである。リーダ／ライタユニット１３の形状は、カード型の配達物を置きやすくするためにテーブル状になっていてもよい。また、リーダ／ライタユニット１３の形状は、非接触ＩＣメディアを備えた配達物を乗せやすくした窪みを持ったテーブル形状としてもよい。書き込みデータ入力端子３１は、非接触ＩＣメディアに情報を書き込む際に、書き込むデータをパソコン、ＰＤＡ、携帯電話等の情報端末から入力するための接続端子である。
【００２１】
図２は、ディスプレイ付き電子機器の構成図である。電子機器１は、図２の例のようにディスプレイ（表示部）１６を内蔵した機種でもよい。図２に示す例では、電子機器１は、例えば、リーダ／ライタユニット１３、ディスプレイ（表示部）１６、スピーカ１７、イヤホン端子１８、書き込みデータ入力端子３１、入力部３２を備える。電子機器１のスピーカ１７及びイヤホン端子１８は、音声情報を出力するためのものである。また、電子機器１は、さらにＣＦユニット差し込み口１５を備えてもよい。図２に示す電子機器１は、リーダ／ライタユニット１３を内蔵している機種の例であるが、リーダ／ライタユニット１３は、ＣＦユニット差し込み口１５に差し込んで使用できる構造であってもよい。入力部３２は、例えば、キーボード、タッチパネル、タッチペン、ダイヤルボタン等を用いることができる。
【００２２】
また、電子機器１は、リーダ／ライタユニット１３を内蔵したＰＤＡ、携帯電話、パソコン等であってもよい。また、電子機器１は、外部リーダ／ライタユニット１３と接続可能でディスプレイ１６を有するＰＤＡ、携帯電話、パソコン等であってもよい。
【００２３】
図３は、リーダ／ライタユニット１３を内蔵した電子機器１の構成図である。図３は、携帯電話２３にリーダ／ライタユニット１３を内蔵した例である。図３に示す携帯電話２３は、処理部（ＣＰＵ）、内部メモリー、表示部（ディスプレイ）１６、イヤホン端子１８、入力部３２、図示しないスピーカを有する。入力部３２は、携帯電話２３のダイヤルボタン等を用いることができる。
【００２４】
図４は、外部装着型のリーダ／ライタユニット１３の構成図である。図４（ａ）の差し込み型リーダ／ライタユニット１３は、リーダ／ライタ部（アンテナ部）１９、外部接続用スリーブ２０を備える。差し込み型リーダ／ライタユニット１３は、例えば、ＰＤＡ、携帯電話、パソコン等の端子に外部接続用スリーブ２０を差し込んで接続される。また、図４（ｂ）のケーブル接続型リーダ／ライタ１３は、リーダ／ライタ部１９、ケーブル２１、外部接続コネクタ２２を備える。ケーブル接続型リーダ／ライタ１３は、ケーブル２１を経由して、外部接続コネクタ２２がＰＤＡ、携帯電話、パソコン等の端子に接続される。
【００２５】
（配達物受付装置）
図５は、配達物受付装置の構成図である。配達物受付装置は、処理部５１、記憶部５２、表示部５３、入力部５４、出力部５５、リーダ／ライタ部５６、図示しない配達物投入部、配達物返却部を備える。
【００２６】
記憶部５２は、配達先・元情報に対応して料金が記憶された料金データファイル６１を有する。料金データファイル６１は、配達先・元情報以外に、非接触ＩＣメディアの容量、配達物の大きさ等適宜のものに対応した料金を記憶してもよい。料金の設定は、配達業者が行い、料金データファイル６１が予め記憶部５２に記憶されているものとする。表示部５３は、料金データファイル６１を参照して決定した料金情報やエラーメッセージを表示する。入力部５４は、利用者が投入した料金を判別する料金投入部６２を有する。出力部５５は、例えば、配達料金の領収書を印刷して発行する印刷部である。
【００２７】
リーダ／ライタ部５６は、配達物投入部から投入された配達物の非接触ＩＣメディアに対して配達料金情報、配達過程情報等の読み書きを行うものである。配達物投入部から投入された配達物は、リーダ／ライタ部５６と非接触ＩＣメディアの間で電波の送受信が可能な範囲に設置される。なお、リーダ／ライタ部５６を配達物投入部に配置し、利用者は配達物投入部のリーダ／ライタ部５６に配達物を設置するようにしても良い。また、適宜の手段により、配達物投入部から投入された配達物をリーダ／ライタ部付近に移動させても良い。
【００２８】
（非接触ＩＣメディア備えた配達物）
図６は、非接触ＩＣメディア備えた配達物の構成図の例である。本実施の形態における配達物は、配達業者情報、広告情報、配達情報、伝達情報等を記憶する非接触ＩＣメディアを備える。本実施の形態における配達物は、例えば、非接触ＩＣメディアを備えたカード、はがき、封筒、袋、箱等であり、配達可能なものであればその形状、大きさは問わない。また、配達物の素材は、非接触ＩＣメディアから情報を受信する際に干渉が起こらないような素材であれば、いかなる素材であってもよい。例えば、紙・プラスチック・合板・樹脂等は、干渉が起こらない素材である。また、配達物の表面は、宛名・住所・文面等を消去できるような表面加工をほどこし、再生可能としてもよい。裏面は、広告主企業の全面広告として利用することができる。
【００２９】
図７は、配達物に備えられた非接触ＩＣメディアのデータエリアのフォーマットである。配達物に備えられた非接触ＩＣメディアのデータエリアのフォーマットは、例えば、配達業者エリア１０１、広告主エリア１０２、配達情報エリア１０３、利用者エリア１０４を含む。
【００３０】
配達業者エリア１０１には、配達料金情報、郵便番号情報、配達物の配達過程情報、配達業者独自のパスワード等が記憶される。配達料金情報は、配達料金の支払いに関する情報である。例えば、配達料金領収済みを表すデータや、着払いを表すデータ等が記憶される。郵便番号情報とは、配達先及び配達元の郵便番号又は住所に対応した適宜の住居コードである。郵便番号情報は、利用者が配達情報エリア１０３に書き込んだ郵便番号又は住居コードを用いても良い。配達物の配達過程情報は、収集の日付及び担当情報、配達の日付及び担当情報等の情報である。また、配達業者エリア１０１の情報の読み込み及び書き込みは配達業者独自のパスワードにより規制することができる。
【００３１】
広告主エリア１０２には、広告業者が設定する広告情報が映像や音声等のデジタル情報で記憶される。さらに、広告主独自のパスワードが記憶されてもよい。非接触ＩＣメディアと電子機器１のリーダ／ライタユニット１３とが近づいた時に、電子機器１は、記憶されている広告情報を読み取り、自動的に視聴表示する。配達物に記憶される広告情報は、非接触ＩＣメディアに情報が書き込まれる、及び、読み込まれる度に自動的に再生される。また、情報の書き込みは、広告主独自のパスワードにより規制することができる。また、懸賞つきの広告情報を記憶し、通信ネットワークに接続可能なパソコン、ＰＤＡ、携帯電話等の電子機器１を用いて、通信ネットワークを介して懸賞に応募できるようにしてもよい。
【００３２】
配達情報エリア１０３は、配達先の郵便番号又は住居コード、宛先、宛名、配達元の郵便番号又は住居コード、住所、名称等の配達情報が記憶される。配達情報は、利用者によって書き込まれる。また、配達業者も読み取りが可能である。
【００３３】
利用者エリア１０４は、配達物の利用者が伝達情報、利用者パスワードを書き込むデータエリアで、電子機器１は、リーダ／ライタユニット１３を介して伝達情報を書き込む又は読み込むことができる。例えば、伝達情報の読み込みは、電子機器１のリーダ／ライタユニット１３と非接触ＩＣメディアを近づけることで、電子機器１は、非接触ＩＣメディアに記憶されている情報を読み込み、広告情報を自動表示した後に。伝達情報を表示部に表示する。また、伝達情報の書き込みは、電子機器１のリーダ／ライタユニットと非接触ＩＣメディアを近づけると、電子機器１は、パソコン・ＰＤＡ・携帯電話等からデジタル情報を読み込み、読み込んだデジタル情報を非接触ＩＣメディアに書き込む。伝達情報の書き込み及び読み込みは、利用者独自のパスワードにより規制してもよい。この場合、送り元と、受け取り先は利用者パスワードを知っているものとする。
【００３４】
図８は、非接触ＩＣメディアを備えた配達物のリサイクルの説明図である。非接触ＩＣメディアを備えた配達物は、
１）非接触ＩＣメディアを備えた配達物の利用者エリア１０４の情報の上書き、
２）配達物を出すたびに配達料金情報・配達過程情報の更新
を繰り返して再利用をする。配達料金情報・配達過程情報の更新は、配達物受付装置により配達料金を収受し、リーダ／ライタ部５６を介して情報の更新を行う。また、利用者エリア１０４の情報の上書きに際しては、パスワードにより書き込み保護を解除し、パスワードを再設定することで新規に書き込む情報を保護することができる。また、配達物受付装置により配達料金を収受し、配達物を受け取ることで、配達業者は配達受付窓口業務を簡略化・効率化することが可能となる。
【００３５】
非接触ＩＣメディアを備えた配達物のリサイクルの方法は、例えば、利用者エリア１０４の情報を書き換えることにより、受け取り者が自由に使いまわす方法、展示会招待状等の場合、送り主が展示会等の入場時に回収し、使いまわす方法等がある。
【００３６】
図８（ａ）は、受け取り者が自由に使いまわす例である。図中、斜線部分が、それぞれの過程で使用されるエリアの一例である。例えば、広告主からダイレクトメールとして配達物を受け取ったユーザー（１）は、受け取った配達物の配達情報エリア１０３及び利用者エリア１０４の情報を書き換えることにより、新規の配達物として発送することができる。なお、広告主から発送される場合、利用者エリア１０４は広告主が利用しても良い。利用者エリア１０４にパスワードが設定されている場合は、電子機器１は、入力部３２からパスワードを入力することによって、読み取り及び書き込みの保護を解除する。次に、電子機器１は、リーダ／ライタユニット１３を介して、配達情報エリア１０３及び利用者エリア１０４に情報を書き込む。電子機器１は、利用者エリア１０４に新規にパスワードを設定する場合は、入力部３２等からパスワードを入力し、利用者エリア１０４にパスワードを書き込む。利用者は、新たな情報が書き込まれた配達物を発送する。また、配達業者は、利用者から配達料金を受け取り、配達業者エリア１０１の配達料金情報を更新し、配達過程情報をクリアする。配達業者は、配達過程情報がクリアになっていることで、配達物が、未配達であることが確認できる。本実施の形態では、一例として、配達料金情報の更新は、配達物受付装置により行う。配達物を受け取る際に、配達物受付装置の処理部５１（ＣＰＵ）が配達物の料金を判断して、料金を収集し、配達業者エリア１０１の配達料金情報、配達過程情報を更新する。処理の詳細は後述する。ユーザー（２）も同様に、配達情報エリア１０３と利用者エリア１０４の情報を書き換えて配達物を発送することができる。
【００３７】
図８（ｂ）は、送り主が展示会等の入場時に回収する例である。例えば、非接触ＩＣメディアに展示会の案内を記憶させて配達し、その配達物を入場券の代わりとして使用し、回収する。また、回収された配達物の非接触ＩＣメディアに記憶されている配達情報を利用して入場者の集計・管理に利用することも可能である。
【００３８】
図９は、非接触ＩＣメディアを備えた配達物の流れ図である。まず、リーダ／ライタユニット１３を備えた電子機器１によって、配達情報と伝達情報が書き込まれる。電子機器１は、書き込み処理を実行することで、配達物に情報を書き込む。電子機器１の書き込み処理については、後に詳細に説明する。
【００３９】
情報が書き込まれた配達物は、配達物受付装置によって収集される。配達物受付装置は。配達料金を判断して送付者から配達料金を収受し、配達料金情報、配達過程情報を書き換え、配達物を受け付ける配達物受付処理を実行する。配達物受付処理については、後に詳細に説明する。
【００４０】
配達物の受取者は、リーダ／ライタユニット１３を備えた電子機器１を用いて、伝達情報を表示する。電子機器１は、読み込み処理を実行することで、配達物に書き込まれた伝達情報を読み込み、表示部に表示する。電子機器１の読み込み処理については、後に詳細に説明する。
【００４１】
図１０、１１は、伝達情報及び配達情報を書き込むための書き込み処理のフローチャート（１）、（２）である。本実施の形態では、非接触ＩＣメディアを備えた配達物を、電子機器１のリーダ／ライタユニット１３に乗せたり、リーダ／ライタユニット１３と近づけたりすることにより、電子機器１は、リーダ／ライタユニット１３を介して配達物に備えられた非接触ＩＣメディアに情報を書き込む。電子機器１等の設置以外の各ステップ処理は、電子機器内のＣＰＵ（処理部）が実行する。
【００４２】
まず、利用者が、電子機器１のリーダ／ライタユニット１３のアンテナ部と、非接触ＩＣメディアを備えた配達物が近づけられると、電子機器１は、リーダ／ライタユニット１３から電波を発信する（Ｓ０１）。非接触ＩＣメディアは、リーダ／ライタユニット１３のアンテナ部から発信された電波によりＩＣが自動的に起動するようにしてもよい。非接触ＩＣメディアは、内部に書き込まれた広告情報及び伝達情報を外部に向けて発信する。次に、電子機器１は、非接触ＩＣメディアから発信された広告情報及び伝達情報を、リーダ／ライタユニット１３のアンテナ部で受信し、内部メモリーに記憶する（Ｓ０３）。なお、電子機器１は、伝達情報を非接触ＩＣメディアから受信しなくてもよい。
【００４３】
電子機器１は、非接触ＩＣメディアから情報を受信できなかった場合（Ｓ０５）、表示部に「受信不能」のメッセージを表示し（Ｓ０９）、ステップＳ０１の処理へ戻る。なお、表示部は、電子機器１に内蔵されたディスプレイ１６や外部ディスプレイ接続端子１４を介して接続されているディスプレイ１６を用いることができる。また、スピーカ１７、イヤホン等から「受信不能」のメッセージを音で知らせてもよい。
【００４４】
電子機器１は、非接触ＩＣメディアから情報を受信した場合（Ｓ０５）、受信した広告情報をディスプレイ１６、スピーカ１７等を用いて可視／可聴表示する（Ｓ０７）。電子機器１は、広告情報の自動表示終了後、受信した伝達情報に、読み書きを制限する利用者パスワードが存在するか検索する（Ｓ１１）。電子機器１は、利用者パスワードが存在する場合は、パスワードの入力を促す表示をディスプレイ１６等の表示部に表示し、入力部３２からパスワードを入力する（Ｓ１３）。なお、入力部３２には、キーボード、タッチペン、タッチパネル、コントロールキー１１、ダイヤルボタン等を用いることができる。
【００４５】
電子機器１は、入力したパスワードと受信した利用者パスワードが一致するかを判断し、パスワードが一致した場合、ステップＳ１７の処理へ移り、一致しなかった場合はステップＳ１３の処理へ戻る（Ｓ１５）。なお、パスワードが一致しない場合、所定回数戻るか、タイムアウトで処理は中止される。また、電子機器１は、受信した伝達情報にパスワードが存在しない場合（Ｓ１１）、ステップＳ１７の処理へ移る。
【００４６】
ステップＳ１７では、電子機器１は、伝達情報の読み取り及び書き込みを制限する新規の利用者パスワードを設定するか判断する（Ｓ１７）。例えば、電子機器１は、利用者パスワードの設定を行うか否かのメニューをディスプレイ１６等の表示部に表示し、入力部３２から設定する又は設定しない信号を入力してもよい。電子機器１は、利用者パスワードの設定する場合、新規の利用者パスワードを入力部３２から入力する（Ｓ１９）。さらに、電子機器１は、新規の利用者パスワードを再度入力部３２から入力する（Ｓ２３）。電子機器１は、ステップＳ１９とステップＳ２３で入力された利用者パスワードを比較し、異なる場合は、ステップＳ１９の処理へ戻り、一致する場合は、ステップＳ２７の処理へ移る。また、電子機器１は、利用者パスワードの設定をしない場合（Ｓ１７）、ステップＳ２７の処理へ移る。
【００４７】
ステップＳ２７では、電子機器１は、書き込みデータ入力端子３１に接続されたパソコン、ＰＤＡ、携帯電話等の情報端末や、既に書き込み情報が記憶されたメモリや、入力部から非接触ＩＣメディアに書き込む伝達情報及び配達情報を読み込む（Ｓ２７）。電子機器１が、リーダ／ライタユニット１３を備えたパソコン・ＰＤＡ・携帯電話等の場合、電子機器１は、記憶部から非接触ＩＣメディアに書き込む伝達情報及び配達情報を読み込んでもよい。電子機器１は、読み込んだ配達情報、入力した新規の利用者パスワードを含む伝達情報を、リーダ／ライタユニット１３を介して非接触ＩＣメディアに書き込む（Ｓ２９）。なお、パスワードの設定を行わなかった場合、電子機器１は、読み込んだ配達情報、伝達情報のみを書き込む。
【００４８】
また、上記の処理において、表示部は、電子機器１に内蔵のディスプレイ１６でも良いし、外部ディスプレイ接続端子１４を介して接続されているディスプレイ１６でもよい。例えば、図１のような電子機器１に接続された外部ディスプレイ１６、図２のような電子機器１の表示部１６、図３のようなリーダ／ライタユニット１３を内蔵した携帯電話・ＰＤＡ・パソコン等の表示部１６、図４のようなリーダ／ライタユニット１３を外部装着したＰＤＡ・携帯電話・パソコン等の表示部等である。
【００４９】
図１２は、デジタル情報を読み込み、表示をするための読み込み表示処理のフローチャートである。本実施の形態では、非接触ＩＣメディアを備えた配達物を、電子機器１のリーダ／ライタユニット１３に乗せたり、リーダ／ライタユニット１３と近づけたりすることにより、電子機器１は、リーダ／ライタユニット１３を介して配達物に備えられた非接触ＩＣメディアに情報を読み込み、可視／可聴表示する。電子機器１等の設置以外の各ステップ処理は、電子機器１内のＣＰＵが実行する。
まず、利用者によって、電子機器１のリーダ／ライタユニット１３のアンテナ部と、非接触ＩＣメディアを備えた配達物が近づけられると、電子機器１はリーダ／ライタユニット１３から電波を発信する（Ｓ３１）。非接触ＩＣメディアは、リーダ／ライタユニット１３のアンテナ部から発信された電波によりＩＣが自動的に起動するようにしてもよい。非接触ＩＣメディアは、内部に書き込まれた広告情報、伝達情報を外部に向けて発信する。次に、電子機器１は、非接触ＩＣメディアから発信された広告情報、伝達情報を、リーダ／ライタユニット１３のアンテナ部で受信する（Ｓ３３）。
【００５０】
電子機器１は、非接触ＩＣメディアから情報を受信できなかった場合（Ｓ３５）、表示部に「受信不能」のメッセージを表示し（Ｓ３９）、ステップＳ３１の処理へ戻る。なお、表示部は、電子機器１に内蔵されたディスプレイ１６や外部ディスプレイ接続端子１４を介して接続されているディスプレイ１６を用いることができる。また、スピーカ１７、イヤホン等から「受信不能」のメッセージを音で知らせてもよい。
【００５１】
電子機器１は、非接触ＩＣメディアから情報を受信した場合（Ｓ３５）、受信した広告情報をディスプレイ１６、スピーカ１７等を用いて可視／可聴表示する（Ｓ３７）。電子機器１は、広告情報の自動表示終了後、受信した伝達情報に利用者パスワードが存在するか検索する（Ｓ４１）。電子機器１は、伝達情報に利用者パスワードが存在する場合は、パスワードの入力を促す表示をディスプレイ１６等の表示部に表示し、入力部３２からパスワードを入力する（Ｓ４３）。なお、入力部３２には、キーボード、タッチペン、タッチパネル、コントロールキー１１、ダイヤルボタン等を用いることができる。
【００５２】
電子機器１は、入力したパスワードと受信した利用者パスワードが一致するかを判断し、パスワードが一致した場合、ステップＳ４７の処理へ移り、一致しなかった場合はステップＳ４３の処理へ戻る（Ｓ４５）。なお、パスワードが一致しない場合、所定回数戻るか、タイムアウトで処理は中止される。また、電子機器１は、伝達情報に利用者パスワードが存在しない場合（Ｓ４１）、ステップＳ４７の処理へ移る。
【００５３】
ステップＳ４７では、電子機器１は、受信した伝達情報をディスプレイ１６、スピーカ１７等を用いて可視／可聴表示する（Ｓ４７）。
図１３は、配達物収集処理のフローチャートである。非接触ＩＣメディアを備えた配達物は、配達物受付装置に投函される。以下、配達物受付装置の配達物収集処理について説明する。
【００５４】
まず、処理部５１は、配達物投入部から投入された配達物が、リーダ／ライタ部５６と電波の送受信が可能な場所に設置されたことを認識し、非接触ＩＣメディアから情報を読み取る（Ｓ７１）。例えば、リーダ／ライタ部５６が配置された配達物投入部に、利用者が配達物を設置するようにしてもよい。配達物の設置は、適宜の方法を取ることができる。また、処理部５１は、配達物に備えられた非接触ＩＣメディアの配達業者エリア１０１に記憶されている配達業者情報と配達情報エリア１０３に記憶されている配達情報を、リーダ／ライタ部５６を介して読み込む。
【００５５】
さらに、処理部５１は、予め内部メモリーに記憶されているパスワードを読み出し、読み出したパスワードと非接触ＩＣメディアから読み込んだ配達業者情報の配達業者パスワードを比較し、配達業者情報を確認する（Ｓ７３）。例えば、処理部５１は、配達業者パスワードが一致しない場合、表示部５３に「非接触ＩＣメディアが使用不能」等のメッセージを表示して、配達物を配達物返却部から返却し、配達物収集処理を終了してもよい。一方、処理部５１は、配達業者パスワードが一致したら、読み込んだ配達情報に配達先、配達元、住所コード又は郵便番号等の情報が記憶されているか確認する。処理部５１は、配達情報に不備がある場合は、表示部５３に「配達情報不備」のメッセージを表示し、配達物を配達物返却部から返却してもよい。なお、配達業者パスワードの一致判断を省略して、配達情報を確認してもよい。その際、配達業者エリア１０１は使用せず、配達情報エリア１０３のみから配達情報を得る。
【００５６】
処理部５１は、記憶部５２の料金データファイル６１を参照し、投入された配達物の料金を判断する（Ｓ７５）。料金の判断は、配達情報の配達先と配達元の地域から判断してもよいし、非接触ＩＣメディアの容量から判断しても良い。料金の設定は、配達業者が行い、料金を判断するためのデータが予め記憶部５２に記憶されているものとする。
【００５７】
処理部５１は、判断した料金を表示部５３に表示し（Ｓ７７）、料金投入部６２から料金を受け付ける（Ｓ７９）。さらに、処理部５１は、料金投入部６２から投入された金額の情報を入力し、配達料金が投入されたかを判断する（Ｓ８１）。また、処理部５１は、一定時間経過後に料金が正しく投入されていない場合（Ｓ８１）、配達物及びその時点で投入されている料金を返却し、配達物収集処理を終了しても良い（Ｓ８７）。
【００５８】
処理部５１は、料金投入部６２から料金が正しく投入された場合（Ｓ８１）、リーダ／ライタ部５６を介して、非接触ＩＣメディアの配達業者エリア１０１に配達料金と領収済みを表す適宜のデータ等を配達料金情報として書き込む（Ｓ８３）。また、処理部５１は、非接触ＩＣメディアの配達業者エリア１０１に収集の日付及び担当情報、配達の日付及び担当情報等の配達過程情報が記憶されている場合、リーダ／ライタ部５６を介して配達過程情報を削除する。配達業者は、配達業者エリア１０１に配達過程情報が書き込まれていてないことで、配達物が未配達であることが判断できる。さらに、処理部５１は、出力部５５から領収証を印刷し、利用者に発行する（Ｓ８５）。
【００５９】
（デジタル情報）
配達物に備えられた非接触ＩＣメディアに記憶されるデジタル情報は、例えば、文字情報、音声情報、静止画情報（写真・絵・図等）、動画像情報、アニメーション情報等である。
【００６０】
【発明の効果】
本発明によると、従来の配達物では表現できない情報を補完するデジタル情報を、非接触ＩＣメディアを備えた配達物から容易に得る事ができ、身近に楽しむことができる。
【００６１】
本発明によると、以下のように、特有の効果を奏する。
１）非接触ＩＣメディアを備えた配達物から文字・音声・写真・動画像・アニメーション等のより身近な情報を読み取って楽しむ事ができる。
２）パソコン等の電子機器でデジタル情報が書き込め、誰にでも簡単に利用できる。
３）配達料金情報、配達過程情報等の配達業者独自の情報が記憶でき、配達業務の情報収集と業務改善・効率化に利用できる。
４）配達業者は、配達料金の収受と配達物の受取を自動で行うことができる。
５）非接触ＩＣメディアの情報を書き換えることで配達物の再利用が可能である。
【図面の簡単な説明】
【図１】外部ディスプレイ接続型電子機器の構成図。
【図２】ディスプレイ付き電子機器の構成図。
【図３】リーダ／ライタユニットを内蔵した電子機器の構成図。
【図４】外部装着型のリーダ／ライタの構成図。
【図５】配達物受付装置の構成図。
【図６】非接触ＩＣメディアを備えた配達物の構成図。
【図７】非接触ＩＣメディアのデータエリアのフォーマット。
【図８】配達物のリサイクル方法の説明図。
【図９】配達物の流れ図。
【図１０】デジタル情報の書き込み処理のフローチャート（１）。
【図１１】デジタル情報の書き込み処理のフローチャート（２）。
【図１２】デジタル情報の読み込み表示処理のフローチャート。
【図１３】配達物収集処理のフローチャート。
【符号の説明】
１　　電子機器
１１　コントロールキー
１２　電源スイッチ
１３　リーダ／ライタユニット
１４　外部ディスプレイ接続端子（テレビ接続端子）
１５　ＣＦユニット差し込み口
１６　ディスプレイ
１７　スピーカ
１８　イヤホン端子
１９　リーダ／ライタ部
２０　外部接続用スリーブ
２１　ケーブル
２２　外部接続コネクタ
２３　携帯電話
３１　書き込みデータ入力端子
３２　入力部
５１　処理部
５２　記憶部
５３　表示部
５４　入力部
５５　出力部
５６　リーダ／ライタ部
６１　料金データファイル
６２　料金投入部
１０１　配達業者エリア
１０２　広告主エリア
１０３　配達情報エリア
１０４　利用者エリア
【図１】
2004085857.tif 000003
【図２】
2004085857.tif 000004
【図３】
2004085857.tif 000005
【図４】
2004085857.tif 000006
【図５】
2004085857.tif 000007
【図６】
2004085857.tif 000008
【図７】
2004085857.tif 000009
【図８】
2004085857.tif 000010
【図９】
2004085857.tif 000011
【図１０】
2004085857.tif 000012
【図１１】
2004085857.tif 000013
【図１２】
2004085857.tif 000014
【図１３】
2004085857.tif 000015